【手続補正書】
【提出日】平成27年3月6日(2015.3.6)
【手続補正１】
【補正対象書類名】明細書
【補正対象項目名】００１０
【補正方法】変更
【補正の内容】
【００１０】
すなわち、本発明は、次の（１）〜（８）に存する。
（１）  内溶液を吐出または塗布する機構を備えた塗布部と、内溶液が充填されている貯蔵体と、内溶液を塗布部へ押出す機構を備えた押出装置とを備え、前記塗布部と貯蔵体には連通された流路が設けられ、前記貯蔵体内の内溶液を押出装置より押出すことで内溶液は塗布部と貯蔵部に連通された流路をとおり塗布部より吐出される塗布具であって、
前記塗布部は、略円錐状に形成された円錐部を有し、該円錐部の同心円上に薄板円盤部を複数枚設置され、該薄板円盤部が塗布先端から後方にむけて、外径が円錐状に設けられると共に、薄板円盤部の略中心部は、略円錐又は略円筒で連結され、塗布部前後方向に複数の溝が設けられており、前記略円錐又は略円筒には内部に流路と連通する液流通路が設けられ、かつ、略円錐又は略円筒の外側には前記液流通路と前記溝とを連通するスリットが設けられていることを特徴とする塗布具。
（２）  内溶液を吐出または塗布する機構を備えた塗布部と、内溶液が充填されている貯蔵体と、内溶液を塗布部へ押出す機構を備えた押出装置とを備え、前記塗布部と貯蔵体には連通された流路が設けられ、前記貯蔵体内の内溶液を押出装置より押出すことで内溶液は塗布部と貯蔵部に連通された流路をとおり塗布部より吐出される塗布具であって、
前記塗布部は、略円錐状に形成された円錐部を有し、前記略円錐又は略円筒には内部に流路と連通する液流通路が設けられ、かつ、略円錐又は略円筒の外側には前記液流通路と連通するスリットが設けられていることを特徴とする塗布具。
（３）  前記塗布部の表面には、静電植毛処理がなされていることを特徴とする上記（１）又は（２）記載の塗布具。
（４）  前記塗布部が、ゴムまたはエラストマーからなるゴム弾性を有する材料であることを特徴とする上記（１）〜（３）の何れか一つに記載の塗布具。
（５）  前記複数の溝は、幅０．１〜１ｍｍ、深さ０．０５〜２ｍｍの溝が設けられていることを特徴とする上記（１）に記載の塗布具。
（６）  前記塗布部の表面には、静電植毛処理がなされ、繊維径０．０５〜０．７ｍｍ、繊維長さ０．０５〜１ｍｍの繊維を接着したことを特徴とする上記（１）〜（５）の何れか一つに記載の塗布具。
（７）  先軸に塗布具を装着したとき、塗布具のスリットが先軸の外側に形成されることを特徴とする（１）〜（６）の何れか一つに記載の塗布具。
（８）  前記スリット１箇所あたりの開口面積は０．５〜２．０ｍｍ２であることを特徴とする（１）〜（７）の何れか一つに記載の塗布具。
【手続補正２】
【補正対象書類名】明細書
【補正対象項目名】００１３
【補正方法】変更
【補正の内容】
【００１３】
以下に、本発明の実施形態において図面を参照しながら、詳述する。
本発明の第１の実施形態に係る塗布具は、液押圧機構となる押出装置が回転式繰出タイプとなる塗布具であり、図１に示すように、内溶液（本実施形態では、「液体化粧料」、以下同様）を吐出または塗布する機構を備えた塗布部３０と、内溶液が充填されている貯蔵体（「貯留体」とも称する）１１と、内溶液を塗布部３０へ押出す機構を備えた押出装置１０とを備え、前記塗布部３０と貯蔵体１１には連通された流路２１が設けられており、前記貯蔵体１１内の内溶液を押出装置１０より押出すことで内溶液は塗布部３０と貯蔵体１１に連通された流路２１をとおり塗布部３０より吐出されるものである。
押出装置１０は、軸本体１２後端部に配設された繰り出し部材１３を軸本体１２に対して周方向に相対回転させることにより容器（貯蔵体）１１内の内溶液を繰り出すことにより塗布部３０に供給される構成となっている。
【手続補正３】
【補正対象書類名】明細書
【補正対象項目名】００１４
【補正方法】変更
【補正の内容】
【００１４】
この塗布具の押出装置１０は、軸本体１２の後端に回転可能に嵌合された繰り出し部材１３と、使用者による繰り出し部材１３の回転の力をネジ棒１４に伝える駆動筒１５と、軸本体１２に固定してネジ棒１４が螺合するネジ体１６と、先端にピストン体１７が回転可能に係合したネジ棒１４と、軸本体１２の貯蔵体１１内を摺動するピストン体１７とを有する。前記駆動筒１５を介して繰り出し部材１３の回転をネジ棒１４に伝え、該ネジ棒１４の回転によってナット状のネジ体１６の雌ネジを介して該ネジ棒１４及びピストン体１７が前進して貯蔵体１１内から前記内溶液を塗布部３０へ繰出す構造になっている。
【手続補正４】
【補正対象書類名】明細書
【補正対象項目名】００１５
【補正方法】変更
【補正の内容】
【００１５】
繰り出し部材１３は、図１に示すように、後端に天冠１３ａが嵌入することによって閉じられた筒状を呈する操作部が軸本体１２後端部に回動可能に嵌め込まれかつ露出しているものである。駆動筒１５が繰り出し部材１３内に嵌入して回転方向に固定されており、この駆動筒１５内に回転方向固定かつ軸方向への相対移動可能（ネジ体は動かない）にネジ体１６が装着されている。１３ｂは、スプリング部材であり、回転体となる繰り出し部材１３を後方に付勢するものである（図１の矢印１０の下にあるカム体と呼ばれるものを前方付勢するものである）。
この塗布具において、軸本体１２の前端部１２ａには、シール部１８、継手部材１９、先軸２０、塗布部３０が嵌入により取り付けられる。軸本体１２の貯蔵体１１には、内溶液が収容され、その貯蔵体１１から繰出された内溶液は継手部材１９内の流路２１をとおり塗布部３０に吐出されて塗布可能になる。また、使用後にキャップ４０を塗布部３０及び先軸２０を覆うように先軸２０に装着（嵌着）できるよう形成されている。
【手続補正５】
【補正対象書類名】明細書
【補正対象項目名】００１６
【補正方法】変更
【補正の内容】
【００１６】
また、図１において、図示符号２２は、貯蔵体１１内の塗布液を往復動によって攪拌する攪拌ボールである。また、４１はキャップ４０内のインナーキャップ、４２はインナーキャップ後方付勢用のスプリングである。
更に、図示符号２３は、未使用時における塗布部３０に向かう塗布液の流通路を閉鎖する位置にシール部１８、継手部材１９、先軸２０、塗布部３０を位置させるため、前記先軸２０後端と軸本体１２前端部１２ａの段状箇所前面との間にリング状部が装着されたストッパーである。このストッパー２３は、リング状部の一部が切り離され、その切り離された箇所の反対側に摘み片が一体形成され、摘み片を引くことによって、リング状部が切り離し箇所から拡径して前記先軸２０後端と軸本体１２の前端部１２ａとの間から取り外せるものになっている。
【手続補正６】
【補正対象書類名】明細書
【補正対象項目名】００１７
【補正方法】変更
【補正の内容】
【００１７】
図１に示すように、未使用時では図示されないシールボールがシールボール受け部となるシール部１８の内径部に嵌入して密封しており塗布部３０側に内溶液が流れ込まないようになっている。一方、使用時は、ユーザーがストッパー２３を軸本体１２から引き抜き、先軸２０を後端側に押し込むことにより、継手部材１９の後端細径部が図示されないシールボールに突き当たってシールボールがシール部１８の内径部から外されて前記貯蔵体１１内に入り込み、当該貯蔵体１１内の内溶液が継手部材１９の内径部から塗布部３０の液流路３４内に流入して、塗布部３０にその内部から供給されて、対象部に塗布可能になる。
【手続補正７】
【補正対象書類名】明細書
【補正対象項目名】００２２
【補正方法】変更
【補正の内容】
【００２２】
本発明の塗布具の貯蔵体１１内に収容する内溶液としては、塗布具の形態により各種の内溶液を用いることができ、液体化粧料の他、筆記具用のインクなどを用いることができ、その組成等などは特に限定されるものでない。
本実施形態では、内溶液として、少なくとも、カーボンブラックと、水と、皮膜形成性樹脂からなる分散剤０．５〜５質量％と、皮膜形成剤２〜１５質量％（固形分換算）と、界面活性剤０．５重量％以下とを含有し、かつ、ＥＬＤ型粘度計による温度２５℃、ずり速度３．８３Ｓ−１での粘度が２〜８ｍＰａ・ｓの範囲となる液体化粧料を用いるものである。
【手続補正８】
【補正対象書類名】明細書
【補正対象項目名】００２８
【補正方法】変更
【補正の内容】
【００２８】
このように構成される本実施形態の塗布具は、押出装置１０にて貯蔵体１１内から押出された内溶液となる液体化粧料等は継手部材１９内部の流路２１を通過し、塗布部３０の液流通路３４へ進入し、塗布部３０のスリット３５から溝３３に吐出されるものとなる。
その後、内溶液は毛細管力の働きにより、先端部３１ａ，各薄板円盤部３２ａ、３２ｂ…３２ｉ間の隙間へ保持されることとなる。これと同時に、保持された内溶液は毛細管力の働きにより、連通した外側面に設置された溝３３に進入し、塗布部３０において先端部３１ａに設けた溝３３の先端まで到達する。この結果、先端に到達した内溶液を被塗布面に塗布することで塗布が可能となり、更に塗布し続けることで、薄板円盤部３２ａ、３２ｂ…３２ｉ間等に貯蔵された内溶液が毛細管力の働きにより塗布具先端に移動し、一動作にて満足できる塗布距離を達成することとなる。また、この塗布部は筆の持つしなやかさと、肌への塗布に好適であり、しかも、描線の細さや自由度、液体化粧料等の内溶液の保持作用に優れ、薄板円盤部３２ａ、３２ｂ…３２ｉ間等に内溶液を十分に保持できるので、従来に較べ満足のいく塗布距離とすることができると共に、一体成形できるので、ペン芯と同様に安価に製造することができる塗布具が得られるものとなる。
また、塗布部の材料に、上記ゴムやエラストマー等の軟質プラスチック材料を採用することで、塗布時のタワミにて毛細管力を促すこととなる。更に、円錐部３１の外径、薄板円盤部３２ａ、３２ｂ…３２ｉ間の個数、大きさ、溝の幅、深さ、個数、スリット幅を適宜調整することにより、吐出量、保持する内溶液量、塗布距離、塗布量及びその塗布幅などを好適に調整することができるものとなる。
【手続補正９】
【補正対象書類名】明細書
【補正対象項目名】００３０
【補正方法】変更
【補正の内容】
【００３０】
図６及び図７は、第２の実施形態の塗布部３０Ａを示したものである。第１の実施形態の塗布部との差異は、先方側の円錐部３１Ａに薄板円板部が形成されておらず全体の外周面に繊維毛７０が静電植毛加工によって形成され、また、外周面から内部の液流通路に向けてスリット３５Ａが貫通して、塗布部３０Ａ先端の円錐部３１Ａが形成されていることである。また、塗布部３０Ａの後部が先軸２０で覆われているが、円錐部３１Ａにスリット３５Ａが先軸２０よりも先方外側に形成されている。その他は図１〜図５に示す第１の実施形態の塗布具に用いた塗布部３０と同様であり、同様部分に同一の符号を付している。
この第２の実施形態に係る塗布部３０Ａにおいて、第１の実施形態に係る塗布部３０のような薄板円板部が形成されていなくとも、図７に示す塗布部３０Ａのように繊維毛７０が静電植毛加工されている。したがって、塗布部３０Ａ表面の繊維毛７０に塗布液を効果的に保持できるので円錐部３１Ａが塗布液で湿潤して塗りやすくなり、十分な塗布液を対象箇所に塗出・塗布することができる。
また円錐部３１Ａにはスリット３５Ａが対向方向に２箇所形成されている。このスリット３５Ａの数は特に指定しないが、径方向に均等に配設していることが望ましい。スリット３５Ａの１箇所あたりの開口部の面積は０．５〜２．０ｍｍ2が好ましい。開口部の面積が０．５ｍｍ2を下回ると十分な塗布液が塗出せず２．０ｍｍ2を上回ると不必要に塗布液を流出させてしまうので好ましくない。
【手続補正１０】
【補正対象書類名】明細書
【補正対象項目名】００３１
【補正方法】変更
【補正の内容】
【００３１】
本発明の塗布具は、上述した実施形態に限られるものではなく、本発明の趣旨を逸脱しない範囲において適宜変更可能である。
本発明の塗布具は、塗布部３０の形状、構造等に特徴を有するものであるので、これ以外の構成については適宜他の形態を採用することができるものである。
例えば、上記実施形態では、塗布具としてリキッドアイライナーおよびリキッドアイシャドウの塗布具を例にして説明したが、本発明はこれに限られるものではなく、眉毛にラインを描くアイブロー塗布具、肌、唇にラインを描くことにも適用することができる他、塗布液を筆記具用インクとし、細いラインを描くことができる筆記具としてもよいものである。
また、上記実施形態の塗布具の液押圧機構となる押出装置として、図１に示す、回転式繰出タイプとなる塗布具を用いたが、例えば、図８に示す、ノック式繰出タイプとなる塗布具を用いても良いものである。
【手続補正１１】
【補正対象書類名】明細書
【補正対象項目名】００３２
【補正方法】変更
【補正の内容】
【００３２】
図８は、ノック式繰出タイプの塗布具の説明図である。なお、図８中、上記実施形態と同様の箇所には、同一の符号を付してその説明を省略する。
この実施形態に係るノック式繰出タイプの塗布具は、図８に示すように、軸本体１２後端部に配設されたノック部材５０を軸方向前方に押圧することにより貯蔵体１１内の内溶液を繰り出すことができるものであって、使用者のノック操作によるノック部材５０の押圧の力をカム機構により回転の力に変換するノック機構部６０と、軸本体１２に固定したネジ体６１と、ネジ体６１に螺合させたネジ棒６２とを有し、そのノック機構部６０が変換した回転の力でネジ棒６２を回転させることによってネジ体６１を介して該ネジ棒６２を前進させて前記塗布液を繰出すものである。また、ノック部材５０の押圧による力を回転の力に変換するノック機構部６０は、第１及び第２のカム面を有する回転体６３と、第１の固定カム面を有するネジ体６１、第２の固定カム面を有するカム体６５とを主な構成要素とするものである。
【手続補正１２】
【補正対象書類名】明細書
【補正対象項目名】００３３
【補正方法】変更
【補正の内容】
【００３３】
このノック式繰出タイプの塗布具は、ノック部材５０を軸線方向に押圧してノックを開始すると、ノック部材５０と回転体６３はバネ部材６４を圧縮させながら一体的に前方へ移動を開始し、さらにノックを続けると、回転体６３が所定方向に回転しながら前方へ移動する。この時、回転体６３はノック部材５０に対して回転可能に取り付けられているためノック部材５０自体は回転しない。このノック時の回転体６３の回転に伴い、回転体６３と回転方向に規制され軸線方向に移動自由に設けたネジ棒６２が回転体６３と一体的に回転する。ネジ棒６２はネジ体６１と螺合していることによりピストン体６６と共に前進し貯蔵体１１の内溶液を繰り出すものとなる。この状態からノックを解除する。ネジ体６１内部に配設されたバネ部材６４が回転体６３を押上げることでノックを解除して行くが、この時、回転体６３は所定回転方向に回転及び後方へ移動を開始する。さらにノック解除を続けると、バネ部材６４の押上げ力で回転体６３も回転しながら後退する。この回転時も上記の通りネジ棒６２を回転させピストン体６６と共に前進し、塗布液を繰り出すものとなる。上記のノック動作を繰り返すことにより、軸線方向のノック動作及び解除動作が回転の力に変換され、ネジ棒６２を回転させ、ピストン体６６を押し出すことで内液を定量的に繰出すことが可能となる。
【手続補正１３】
【補正対象書類名】明細書
【補正対象項目名】００３４
【補正方法】変更
【補正の内容】
【００３４】
更に、図１及び図８の各実施形態の塗布具において、継手部材１９を密封するのに、シールボール受け部となるシール部１８に図示されないシールボールを使用して行ったが、例えば、図９に示すように、内部に密封部材となる環状薄膜１８ａをシール部１８に一体的に設けてシールボールの代わりにすることができる。
この形態では、未使用時では環状薄膜１８ａがシール部１８の内部に液流路２１を密封しており、塗布体３０側に塗布液が流れ込まないようになっている。一方、使用時は、上記実施形態と同様に、ユーザーがストッパー２３を軸本体１２から引き抜き、先軸２０を後端側に押し込むことにより、継手部材１９の後端細径部が環状薄膜１８ａに突き当たって環状薄膜１８ａの外周状に形成した切り欠き溝（断面Ｖ字溝）１８ｂにより環状薄膜１８ａがシールボール受け部１８の内径部から一部外れて、当該貯蔵体１１内の塗布液が継手部材１９の内径部から塗布体３０の液流路３４内に流入して、塗布部３０にその内部から供給されて、上記実施形態の態様で対象部に塗布可能になるものである。
【手続補正１４】
【補正対象書類名】明細書
【補正対象項目名】００４２
【補正方法】変更
【補正の内容】
【００４２】
リキッドアイライナー、リキッドアイシャドウなどの塗布具に好適に用いることができる。
【手続補正１５】
【補正対象書類名】図面
【補正対象項目名】図８
【補正方法】変更
【補正の内容】
【図８】
2012236008.tif 000001